(57)【要約】      （修正有）【課題】蚊や蝿等を捕獲・殺虫する機能に加えて、空気清浄機能を兼ね備えた低コストでコンパクトな殺虫機能付き空気清浄装置を提供する。【解決手段】殺虫機能付き空気清浄装置は、蚊、蝿を誘引する光を照射する光源３と、光源３が配設され、光源３の光を反射するリフレクタ部材２と、リフレクタ部材２の後方に設けられ、メッシュ状の捕虫フィルタ１２と活性炭フィルタが収容されたフィルタカートリッジ１０と、フィルタカートリッジ１０の後方に設けられ蚊、蝿を吸引する吸引ファン５と、を備える。【選択図】図３
0003154622.tif 000002
【実用新案登録請求の範囲】
【請求項１】
蚊、蝿を誘引する光を照射する光源と、
上記光源が配設され、該光源の光を反射するリフレクタ部材と、
上記リフレクタ部材の後方に設けられ、メッシュ状の捕虫フィルタと活性炭フィルタが収容されたフィルタカートリッジと、
上記フィルタカートリッジの後方に設けられ、上記蚊、蝿を吸引する吸引ファンと、
を備えたことを特徴とする殺虫機能付き空気清浄装置。
【請求項２】
上記光源は、ブラックライト蛍光管であることを特徴とする請求項１に記載の殺虫機能付き空気清浄装置。
【請求項３】
前面部に第１の開口部が設けられた筐体と、
蚊、蝿を誘引する光を照射する光源と、
上記筐体に収容され、上記光源が配設され、該光源の光を反射するリフレクタ部材と、
上記蚊、蝿を吸引する吸引ファンと、
メッシュ状の捕虫フィルタと活性炭フィルタが収容されたフィルタカートリッジと、
上記筐体に装着され、装着されたときに該筐体の背面部及び底面部を構成するものであって、上記吸引ファンが配設され、上記背面部には該吸引ファンで吸引し上記フィルタカートリッジにより清浄された空気を吐き出すための第２の開口部が設けられ、上記底面部には上記フィルタカートリッジを挿入し該フィルタカートリッジを上記吸引ファンの前面に位置付けするための第３の開口部が設けられた裏蓋部材と、
を備えたことを特徴とする殺虫機能付き空気清浄装置。
【請求項４】
上記光源は、ブラックライト蛍光管であることを特徴とする請求項３に記載の殺虫機能付き空気清浄装置。
【請求項５】
上記フィルタカートリッジでは、上記捕虫フィルタと活性炭フィルタがフィルタ押さえ部材により固定されており、該フィルタカートリッジは、上記裏蓋部材に対して着脱自在に構成されていることを特徴とする請求項３に記載の殺虫機能付き空気清浄装置。
【考案の詳細な説明】
【技術分野】
【０００１】
本考案は、蚊や蝿等を捕獲・殺虫する殺虫機能付き空気清浄装置に関する。
【背景技術】
【０００２】
従来、蚊や蝿等を捕獲し殺虫する種々の装置が提案されている。
【０００３】
例えば、特許文献１では、誘虫光を照射する誘引光源と、誘引光源の下方に配置された捕虫液を溜めた捕虫液容器と、を備えた捕獲殺虫装置であって、誘引光源から照射された誘虫光により誘われた蚊や蝿等の虫が、乱気流生成用部材の上方から吹き込む風により発生した乱気流に巻き込まれ、飛行抑制機能を失い捕虫液に落下する捕獲殺虫装置が開示されている。
【先行技術文献】
【特許文献】
【０００４】
【特許文献１】特開２００６−１１５７１５号公報
【考案の概要】
【考案が解決しようとする課題】
【０００５】
しかしながら、前述したような従来技術に係る蚊や蝿を捕獲する装置において、空気清浄機能を兼ね備えた装置は実現されていない。
【０００６】
そこで、本考案は上述の技術的な課題に鑑み、蚊や蝿等を捕獲・殺虫する機能に加えて空気清浄機能を兼ね備えた、低コストでコンパクトな殺虫機能付き空気清浄装置を提供することを目的とする。
【課題を解決するための手段】
【０００７】
上述技術的な課題を解決するため、本考案の第１の態様に係る殺虫機能付き空気清浄装置は、蚊、蝿を誘引する光を照射する光源と、上記光源が配設され、該光源の光を反射するリフレクタ部材と、上記リフレクタ部材の後方に設けられ、メッシュ状の捕虫フィルタと活性炭フィルタが収容されたフィルタカートリッジと、上記フィルタカートリッジの後方に設けられ、上記蚊、蝿を吸引する吸引ファンと、を備えたことを特徴としている。
【０００８】
さらに、本考案の第２の態様に係る殺虫機能付き空気清浄装置は、前面部に第１の開口部が設けられた筐体と、蚊、蝿を誘引する光を照射する光源と、上記筐体に収容され、上記光源が配設され、該光源の光を反射するリフレクタ部材と、上記蚊、蝿を吸引する吸引ファンと、メッシュ状の捕虫フィルタと活性炭フィルタが収容されたフィルタカートリッジと、上記筐体に装着され、装着されたときに該筐体の背面部及び底面部を構成するものであって、上記吸引ファンが配設され、上記背面部には該吸引ファンで吸引し上記フィルタカートリッジにより清浄された空気を吐き出すための第２の開口部が設けられ、上記底面部には上記フィルタカートリッジを挿入し該フィルタカートリッジを上記吸引ファンの前面に位置付けするための第３の開口部が設けられた裏蓋部材と、を備えたことを特徴としている。
【考案の効果】
【０００９】
本考案によれば、蚊や蝿等を捕獲・殺虫する機能に加えて、空気清浄装機能を兼ね備えた、低コストでコンパクトな殺虫機能付き空気清浄装置を提供することが可能となる。
【図面の簡単な説明】
【００１０】
【図１】本考案の一実施形態に係る殺虫機能付き空気清浄装置の正面図である。
【図２】本考案の一実施形態に係る殺虫機能付き空気清浄装置の背面図である。
【図３】本考案の一実施形態に係る殺虫機能付き空気清浄装置の分解斜視図である。
【図４】フィルタカートリッジの詳細な構成を示す図である。
【考案を実施するための形態】
【００１１】
以下、本考案の殺虫機能付き空気清浄装置に係る好適な実施形態について図面を参照しつつ説明する。なお、本考案の殺虫機能付き空気清浄装置は、以下の記述に限定されるものではなく、本考案の要旨を逸脱しない範囲において、適宜変更可能である。
【００１２】
図１には本考案の一実施形態に係る殺虫機能付き空気清浄装置の正面図を示し、図２には当該殺虫機能付き空気清浄装置の背面図を示し、図３には当該殺虫機能付き空気清浄装置の分解斜視図を示し、図４にはフィルタカートリッジの詳細な構成を示し、各部の構成及び作用について詳述する。
【００１３】
これらの図に示されるように、筐体１にはリフレクタ部材２が収容され、該リフレクタ部材２には光源３が配設されている。このリフレクタ部材２、光源３を収容した状態で筐体１に裏蓋部材４が装着され、該裏蓋部材４は筐体１の一部となる。即ち、裏蓋部材４は底面部４ａ、背面部４ｂを有しており、筐体１の底面部、背面部を構成する。裏蓋部材４には、吸引ファン５と電源供給部６が配設されている。
【００１４】
裏蓋部材４の底面部４ａには開口部４ｃが設けられており、当該開口部４ｃよりフィルタカートリッジ１０が挿入される。挿入時には、フィルタカートリッジ１０は、吸引ファン５の前面に位置する。更に、裏蓋部材４の背面部４ｂには、吸引ファン５で吸引し、捕虫フィルタ１２、活性炭フィルタ１３が装着されたフィルタカートリッジ１０により清浄された空気を吐き出すための開口部４ｄが設けられている。また、裏蓋部材４の背面には更に装置のオン／オフを切り替えるためのスイッチ７や電源アダプタ９が接続されるジャック８が設けられている。
【００１５】
筺体１は、例えば、プラスチック成型により作られており、前面に複数の開口部１ａが設けられている。この開口部１ａを介して光源３の光が装置の前面に照射されることになる。また、この開口部１ａを、光源３の光に誘引され吸引ファン５の吸引力により吸引された蚊や蝿等の虫が通過することになる。
【００１６】
裏蓋部材４は、例えば、プラスチック成型により作られており、前述したように吸引ファン５や電源供給部６、スイッチ７、ジャック８等が配設され、筐体１に装着された際には該筐体１の一部をなす。より具体的には、筐体１は前面部、上面部、左右側面部のみを有しており、裏蓋部材４が装着された際には、裏蓋部材４の底面部４ａ、背面部４ｂが該筐体１の底面部、背面部となる。
【００１７】
蚊や蝿等を誘引する光を照射する光源３としては、例えば、ブラックライト蛍光管が採用される。ここで、ブラックライトとは、僅かに眼で見える長波長の紫外線を放射することを特徴とするライトである。可視光を吸収し紫外線を効率良く透過する特質を持っているのが、ブラックライト蛍光管である。
【００１８】
リフレクタ部材２は、光源３を収容し、当該光源３の光を効率良く前方に向けて反射するためのものである。リフレクタ部材２は、例えば、プラスチック成型により作られており、その表面には反射の作用を高めるための反射材の塗装がなされている。
【００１９】
フィルタカートリッジ１０には、図４に示されるように、メッシュ状の捕虫フィルタ１２とウレタンに活性炭を付着させた活性炭フィルタ１３が収容され、これらはフィルタ押さえ部材１１によりフィルタカートリッジ１０に固定されるようになっている。メッシュ状の捕虫フィルタ１２は吸引ファン５の吸引力により集められた蚊や蝿を捕虫し殺虫するものである。活性炭フィルタ１３は、空気中の臭いをとる機能を備えている。尚、空気中の微粒子を集塵、濾過する不織布のフィルタを、活性炭フィルタの前方又は後方に更に設けてもよいことは勿論である。
【００２０】
吸引ファン５は、光源３の発する紫外線に誘引されて集まった蚊や蝿等を吸引するためのものである。吸引ファン５によって強制的に空気を吸い込んで、フィルタカートリッジ１０の捕虫フィルタ１２で蚊や蝿等を捕獲しつつ、活性炭フィルタ１３で臭いをとり、きれいになった空気を裏蓋部材４の背面部４ｂの開口部４ｄから吹き出す。吸引ファン５としては、空気の押し出しに向くプロペラファンではなく、吸い込みに適するシロッコファン等が採用される。尚、クロスフローファンを採用してもよい。
【００２１】
電源供給部６は、ジャック８に接続された電源アダプタ９を介して電源電圧を受け、吸引ファン５及び光源３に定電圧を安定的に供給するためのものである。スイッチ７は、本装置の動作のオン／オフを切り替えるためのものである。
【００２２】
このような構成において、スイッチ７がオンされると、電源供給部６より吸引ファン５及び光源３に電源供給がなされる。これにより、吸引ファン５が回転し、吸引力をもたらし、光源３より光が装置前方に向けて照射される。このとき、光源３であるブラックライトの紫外線は、リフレクタ部材２により効率的に前方に向けて反射される。
【００２３】
この紫外線により蚊や蝿が装置近傍に集まり、吸引ファン５の吸引力により装置内部へと吸引される。そして、フィルタカートリッジ１０の捕虫フィルタ１２により蚊や蝿が捕獲され、殺虫される。更に、吸引された空気は活性炭フィルタ１３を通過するので、そのときに臭い等がとられ、空気清浄される。こうして空気清浄された空気は、吸引ファン５の後方、裏蓋部材４の背面部４ｂに設けられた開口部４ｄを介して装置の外部に放出されることになる。
【００２４】
以上説明したように、本考案の一実施形態に係る殺虫機能付き空気清浄装置は、蚊、蝿を誘引する光を照射する光源３と、上記光源３が配設され、該光源３の光を反射するリフレクタ部材２と、上記リフレクタ部材２の後方に設けられ、メッシュ状の捕虫フィルタ１２と活性炭フィルタ１３が収容されたフィルタカートリッジ１０と、上記フィルタカートリッジ１０の後方に設けられ、上記蚊、蝿を吸引する吸引ファン５と、を備えたことを特徴とする。
【００２５】
さらに、本実施形態に係る殺虫機能付き空気清浄装置は、前面部に第１の開口部としての開口部１ａが設けられた筐体１と、蚊、蝿を誘引する光を照射する光源３と、上記筐体１に収容され、上記光源３が配設され、該光源３の光を反射するリフレクタ部材２と、上記蚊、蝿を吸引する吸引ファン５と、メッシュ状の捕虫フィルタ１２と活性炭フィルタ１３が収容されたフィルタカートリッジ１０と、上記筐体１に装着され、装着されたときに該筐体１の背面部及び底面部を構成するものであって、上記吸引ファン５が配設され、上記背面部４ｂには該吸引ファン５で吸引し上記フィルタカートリッジ１０により清浄された空気を吐き出すための第２の開口部としての開口部４ｄが設けられ、上記底面部４ａには上記フィルタカートリッジ１０を挿入し該フィルタカートリッジ１０を上記吸引ファン５の前面に位置付けするための第３の開口部としての開口部４ｃが設けられた裏蓋部材４と、を備えたことを特徴とする。
【００２６】
ここで、上記光源は、ブラックライト蛍光管であってよい。
【００２７】
さらに、上記フィルタカートリッジ１０では、上記捕虫フィルタ１２と活性炭フィルタ１３がフィルタ押さえ部材１１により固定されており、該フィルタカートリッジ１０は上記裏蓋部材４に対して着脱自在に構成されている。
【００２８】
以上、本考案の実施形態について説明したが、本考案はこれに限定されず、その主旨を逸脱しない範囲で種々の改良・変更が可能であることは勿論である。例えば、上記実施形態では、光源としてブラックライト蛍光管を用いたが、これに限定されず、蛍光灯やアーク燈等を用いてもよいことは勿論である。
【符号の説明】
【００２９】
１  筐体
２  リフレクタ部材
３  光源
４  裏蓋部材
５  吸引ファン
６  電源供給部
７  スイッチ
８  ジャック
９  電源アダプタ
１０  フィルタカートリッジ
１１  フィルタ押さえ部材
１２  捕虫フィルタ
１３  活性炭フィルタ
【図１】
0003154622.tif 000003
【図２】
0003154622.tif 000004
【図３】
0003154622.tif 000005
【図４】
0003154622.tif 000006